(57)【要約】【課題】  ポケットに収納されたものがポケットから滑り出るのを防ぐための滑り止め部であって、好ましい滑り止め効果があるものを提供することを課題とする。また、これに加えて、ポケットの外側のおもて面に、滑り止め部の形状を反転させた形状の模様が生じることにより製品価値が向上する滑り止め部を提供することを課題とする。【課題を解決するための手段】  ポケットを構成する生地の内側の面に滑り止め部を備える。滑り止め部の存在によって、生地の厚みに差異が生じ、その差異が、ポケットを構成する生地の外側の面が外界と擦れる頻度の差異となって現れる。その結果、ポケットを構成する生地の外側の面に模様が生じる。そのような手段によって課題を解決する。【選択図】        図３
2018193637.tif 000002
【特許請求の範囲】
【請求項１】
ポケットを構成する生地の内側の面に滑り止め部を備え、
前記滑り止め部が、前記ポケットの上下左右方向中央部付近に存するポケット。
【請求項２】
ポケットを構成する生地が、前記滑り止め部が存する部位と存しない部位との厚みの差によって生じた外界と擦れる頻度の差異を備えており、
前記外界と擦れる頻度の差異によって、ポケットを構成する生地の外側の面に模様が現れることを特徴とする請求項１に記載のポケット。
【請求項３】
前記模様が、外界と擦れる頻度の差異によって前記生地の染料の落ちる度合いに差異が生じた結果現れることを特徴とする請求項２に記載のポケット
【請求項４】
前記生地がデニム生地であることを特徴とする請求項２に記載のポケット。
【請求項５】
前記模様が現れたポケットに、前記染料が落ちるのを停止する処理を施したことを特徴とする請求項３又は請求項４に記載のポケット。
【請求項６】
前記滑り止め部が摩擦抵抗の大きいシート状の素材で成り、前記生地に接着剤によって取り付けられることを特徴とする請求項１から請求項５のいずれかに記載のポケット。
【請求項７】
ポケットを構成する生地の内側の面に取り付ける滑り止め部用のシールであって、
前記ポケットの上下左右方向中央部付近に取り付ける滑り止め部用のシール。
【請求項８】
ポケットを構成する生地の内側の面に取り付ける滑り止め部用のシールであって、
ポケットを構成する生地の外側の面に前記滑り止め部の形状を反転させた形状の模様を生じさせ、
前記模様は、前記滑り止め部が取り付けられたことによってポケットを構成する生地に備わる滑り止め部が存する部位と存しない部位との厚みの差によってポケットを構成する生地の外側の面に生じた、外界と擦れる頻度の差異によって生じ、
裏面に前記生地に取り付けるための接着剤が塗布され剥離紙を貼り付けた請求項７に記載の滑り止め部用のシール。
【請求項９】
請求項１から請求項６のいずれかに記載のポケットを備えた衣類。
【発明の詳細な説明】
【技術分野】
【０００１】
ポケットに収納されたものがポケットから滑り出るのを防ぐためにポケットの内側に設ける滑り止め部に関する。
【０００２】
特開２００１−３１６９２４公報には、図４に示す通り、上着や下着に設けたポケットの上部先端部にゴムを取り付けて、携帯電話等の貴重品が滑り出るのを防ぐポケット２１が開示されている。ポケット２１では、ポケットを正面から見た図（ａ）に示す通り、ポケットの開口部の上部先端部の、ポケットの内側の衣類側の面（２２）とポケット側の面(２３)の両面にゴムを取りつける。また、ポケットの上部先端部の断面図（ｂ）に示す通り、ポケットの内側に、衣類側とポケット側に斜めに亘るゴム（２４）を取り付ける。このような機構の場合、上部先端部にゴムが取り付けられているため、ポケット内の携帯電話等を出し入れする際に、手指がゴムに触れてスムーズな出し入れの邪魔になり、また、ゴムの感触が苦手な者にとっては不快感が伴う。
【０００３】
特開２００２−８８５４７公報には、図５に示す通り、ポケット（３１）のオモテ布の裏面に摩擦抵抗の大きい滑り止め（３２）を設けた衣類（３０）が開示されている。このような機構の場合、上記同様、上部先端部にゴムが取り付けられているため、スムーズな出し入れの邪魔になったり、不快感が伴ったりする、という問題があった。
【０００４】
上記いずれのポケットも、滑り止め機構はポケットの上端に存する。滑り止め機構がポケットの上端に存する場合、人間の身体の動きや向きによってポケットの入り口が開いた場合に、ポケットの内容物が滑り止め機構と接しない状態となり、滑り止め機構が滑り止めとして機能しないという問題がある。
【０００５】
また、上記いずれの従来技術にも、滑り止め機構をポケットの模様として利用することに関する記載は、着想すらない。
【先行技術文献】
【特許文献】
【０００６】
【特許文献１】特開２００１−３１６９２４公報
【特許文献２】特開２００２−８８５４７公報
【発明の概要】
【発明が解決しようとする課題】
【０００７】
衣類等のポケットに収納されたものがポケットから滑り出るのを防ぐための滑り止め部であって、好ましい滑り止め効果があり、さらに、ポケットの外側の表面に、滑り止め部の形状を反転させた形状の模様が生じ製品価値が向上する滑り止め部を得ることを課題とする。
【課題を解決するための手段】
【０００８】
ポケットを構成する生地の内側の面に滑り止め部を備え、滑り止め部が、前記ポケットの上下左右方向中央部付近に存するポケットによって課題を解決する。
【０００９】
滑り止め部が、ポケットの上下左右方向中央部付近に存することによって、滑り止め効果を高めることができる。ポケットの上下左右方向中央部付近に滑り止め部を設けることによって、ポケットに入れる物が小さい場合であっても、滑り止め部と接することができ、滑り止め効果を得ることができる。
【００１０】
また、滑り止め部がポケットの上下左右方向中央部付近に存することによって、衣類を身に付ける人間の身体の動きや向きによってポケットの入り口が開いた場合であっても、ポケットの内容物が滑り止め機構と接しており、滑り止め機構が滑り止めとして機能する。
【００１１】
滑り止め部の面積を広くすることにより、滑り止めの効果はさらに高まる。
【００１２】
滑り止め部を、ポケットの上下左右方向中央部付近に設け、かつ、ポケット入口付近には設けないようにすることができる。その結果、ポケットの内容物を出し入れする際、手指が滑り止め部に触れることがなく、出し入れがし易くまた不快感がない。
【００１３】
ポケットを構成する生地が、滑り止め部が存する部位と存しない部位との厚みの差によって生じた外界と擦れる頻度の差異を備えており、外界と擦れる頻度の差異によって、ポケットを構成する生地の外側の面に模様が現れることを特徴とするポケットによって課題を解決する。
【００１４】
ポケットは、主に、ポケットを取り付ける対象にポケット用の生地を貼り付ける形式の「貼り付けポケット」を対象とする。ポケット用の生地を衣類等の外側に貼り付ける「外ポケット」であっても、衣類等の内側に貼り付ける「内ポケット」であっても構わない。外ポケットの場合には、滑り止め部をポケット用の生地の裏側に取り付ける。内ポケットの場合には滑り止め部を衣類等の生地の裏側に取り付ける。内ポケットの場合、模様が現れる対象となる「ポケットを構成する生地」は、ポケットを構成する生地のうち、衣類側の生地がこれに該当することになる。
【００１５】
ポケットは、ものを入れるために内部は袋状となり、衣類等の外側に位置する面と、衣類等の内側に位置する面の、向かい合う二つの面からなる。上記は、衣類等の外側に位置する面に滑り止め部を備えるケースについて述べたが、衣類等の外側に位置する面のみならず、衣類等の内側に位置する面にも滑り止め部を取り付けてもよい。滑り止め部の摩擦力により滑り止め機能が働くところ、滑り止め部の摩擦力の強弱に応じて、衣類等の外側に位置する面に加えて衣類等の内側に位置する面に滑り止め部を取り付けるかどうかを決定すればよい。
【００１６】
ポケットを取り付ける対象は、パンツ、シャツ、ジャケット、等の衣類、バッグ、帽子、等である。
【００１７】
滑り止め部の取り付け方法は、接着剤による取り付け、プリントによる取り付け、等、既存のいかなる方法でも構わない。
【００１８】
ポケットの内側に滑り止め機構を設けることによって、ポケットの内容物が滑り落ちるのを防ぐことができる。特に、携帯電話やクレジットカードのような表面が滑りやすい素材で成る製品をポケットに入れた場合に効果的である。
【００１９】
生地は、主に布地を対象とするが、皮革、不織布、編地、等でも構わない。裏側の滑り止め部が存する部位と存しない部位との厚みの差があることによって、ポケットを取り付けた対象の外側の面に外界と擦れる頻度の差異が生じ、そのような差異によって、模様が生じる素材であればよい。「外界と擦れる」とは、例えば衣類の場合には、着用により身の回りのものと擦れる場合もあるし、洗濯時に、洗濯槽や他の洗濯物と擦れる場合もある。
【００２０】
滑り止め部は、摩擦力のある素材であればよく、例えば、ゴム素材、シリコン素材が対象となる。
【００２１】
模様は、外界と擦れる頻度が高い箇所の表面が僅かに削れたり、染色が落ちたりすることによって現れる。
【００２２】
ポケットに貼り付けたラバーの形状を、表面に模様を生じさせるための手段とすることによって、ラバーの形状を活かして製品価値を向上させることができる。
【００２３】
模様が、外界と擦れる頻度の差異によって生地の染料の落ちる度合いに差異が生じた結果現れることを特徴とするポケットによって課題を解決する。
【００２４】
生地の染料の落ちる度合いは、例えば洗濯の際等、洗濯槽や他の洗濯物といった外界と擦れる頻度の差異によって違いが生じる。その結果、外側に模様が容易に生じる。
【００２５】
生地がデニム生地であることを特徴とするポケットによって課題を解決する。
【００２６】
デニム生地は、インディゴで染色されたタテ糸と未染色の白色のヨコ糸を綾織りにして構成されており、インディゴが色落ちしやすい染料であるため、模様が容易に生じる。また、デニム生地は丈夫であることから、ジーンズパンツやジーンズシャツ、ジーンズジャケットといった、ラフな衣類に用いられることが多い。そのようなラフな衣類では、着古したり頻繁に洗濯した結果模様が現れる、といったことが好まれる場合が多く、製品価値の向上につながりやすい。
【００２７】
模様が現れたポケットに、染料が落ちるのを停止する処理を施したことを特徴とするポケットによって課題を解決する。
【００２８】
ポケットを付けた衣類等を製品化するにあたり、予め洗濯を繰り返して模様を生じさせ、最終消費者は、衣類等を着用する当初からそのような模様を楽しむことができるようにすることができる。色落ちの程度が好ましい状態で製品化することにより、染料が落ちるのを停止する処理を施して、最終消費者は色落ちの程度が好ましい模様を継続して楽しむことができ、これを製品価値とすることができる。
【００２９】
滑り止め部が摩擦抵抗の大きいシート状の素材で成り、生地に接着剤によって取り付けられるポケットによって課題を解決する。
【００３０】
接着剤によって取り付けることにより、取り付けが容易である。
【００３１】
ポケットを構成する生地の内側の面に取り付ける滑り止め部用のシールであって、ポケットの上下左右方向中央部付近に取り付ける滑り止め部用のシールによって課題を解決する。
【００３２】
ポケットを構成する生地の内側の面に取り付ける滑り止め部用のシールであって、ポケットの上下左右方向中央部付近に取り付ける滑り止め部用のシールを、ポケットに貼り付けることにより、滑り止め機構のないポケットに滑り止め機構を付与することができる。
【００３３】
ポケットを構成する生地の内側の面に取り付ける滑り止め部用のシールであって、滑り止め部は、摩擦抵抗の大きい素材で成り、ポケットを構成する生地の外側の面に滑り止め部の形状を反転させた形状の模様を生じさせ、模様は、滑り止め部が取り付けられたことによってポケットを構成する生地に備わる滑り止め部が存する部位と存しない部位との厚みの差によってポケットを構成する生地の外側の面に生じた、外界と擦れる頻度の差異によって生じ、裏面に生地に取り付けるための接着剤が塗布され剥離紙を貼り付けた滑り止め部用のシールによって課題を解決する。
【発明の効果】
【００３４】
ポケットの内側にラバーを貼り付けることによって、ポケット内のものがポケット口から滑り落ちるのを防ぐことができる。また、ポケットに貼り付けたラバーの形状を、表面に模様を生じさせるための手段とすることによって、ラバーの形状を活かし、製品価値を向上させることができる。さらに、滑り止め部が、ポケットの上下左右方向中央部付近に存することによって、ポケットの内容物の滑り止め効果を高めることができる。
【図面の簡単な説明】
【００３５】
【図１】本実施の形態に係るポケットに設けた滑り止め部を示す説明図である。
【図２】本実施の形態に係るポケットに携帯電話を入れた状態を示す説明図である。
【図３】本実施の形態に係るポケットの表面に表れる模様を示す写真である。
【図４】従来例を示す。
【図５】従来例を示す。
【発明を実施するための形態】
【００３６】
以下、本発明の好適な実施の形態について、図面を参照し説明する。
【実施例１】
【００３７】
図１は、衣服に貼り付ける形式のポケット用の生地１の裏面に取り付けたラバー２を示す。ラバーは、シート状のラバーの裏面に接着剤を施したものを用いる。ラバー２はポケットの中央部付近を含むほぼ全域に亘っており、様々な形体にデザインされている。（ａ）は細いストライプで成りストライプ全体の外形が携帯電話を象っている。（ｂ）はローマ字小文字のｈを右向きに傾けている。（ｃ）は正円である。デザインは、流行や、消費者の好みに応じて、製品価値が高まるように考えればよい。
【００３８】
図２に示す通り、ポケット用の生地１を、ラバー２を取り付けた面がポケットの内側に向くようにしてジーンズパンツ５に貼り付ける。ポケットに携帯電話１０を入れると、ポケットの裏側のラバーが備える摩擦力により、携帯電話１０は容易に滑り落ちることがない。ポケットの入り口付近にはラバーを施していないため、携帯電話１０の出し入れのためにポケットに手指を入れるのが容易である。
【００３９】
ラバー２には、約０．５ｍｍの厚みがあるため、ポケット用の生地１は、ラバーを取り付けた部分と、ラバーを取り付けていない部分の間で、厚みの差ができている。厚みの差は、ラバーを取り付けていない側であるジーンズパンツの外側の表面に、外界と擦れる頻度の差異をもたらす。すなわち、厚い部分は外界と擦れる頻度が高く、薄い部分は外界と擦れる頻度が低い。
【００４０】
実施例１のジーンズパンツは、デニム生地で構成されている。デニム生地は、インディゴで染色されたタテ糸と未染色の白色のヨコ糸を綾織りにし構成されている。インディゴが色落ちしやすい染料であるため、デニム生地の衣類は、着古したり、洗濯を繰り返すことにより、インディゴが抜け落ち変色するところ、布の厚みに差がある結果、布地の厚い部分の外側は、外界と擦れる頻度が高く、布地の薄い部分の外側よりもインディゴが抜け落ちる度合いが高くなり、他の部分よりも色が薄くなる。
【００４１】
図３は、図１の（ａ）のデザインのポケット生地を貼った場合に外側に生じた模様である。ストライプが全体で携帯電話を象っているため、この模様により、この場所に携帯電話が納められたこと又は現在も携帯電話が納められていることを主張している。同様に図１の（ｂ）や（ｃ）のデザインのポケット生地を貼った場合には、外側に模様が生じる。外側に生じる模様はラバーを貼った側の裏側に生じるため、（ｂ）や（ｃ）のデザインを反転した形状である。
【実施例２】
【００４２】
図示しないが、ポケット用の生地を衣類の裏側に貼り、内ポケットにしても構わない。デニム生地のシャツやジャケットでは、内ポケットの利用が特にあり得る。内ポケットの場合、ラバーはポケット用の生地ではなく、衣類側に取り付ける。衣類の、ラバーを取り付けた箇所に、衣類の裏側からポケット用生地を貼り付ける。
【００４３】
衣類の側の生地の厚みに、ラバーの存する部分とラバーの存しない部分とで差が生じ、衣類の外側に、ラバーの形体が模様となって現れる。
【実施例３】
【００４４】
実施例１や実施例２に示したポケットを備えた製品を、図３に示すような模様が現れる前ではなく、現れた後の状態の製品として扱うことも可能である。ラバーの模様が現れた状態の製品を購入した者は、その後引き続き製品を衣類として用い、洗濯を繰り返すことにより、模様がさらに強く表れるのを楽しむことができる。一方、好ましい程度の模様が現れた際、例えば染料の抜け出ることを止める処置等、その状態が維持できるような処置を施すことによって、好ましい程度の模様を維持することができる。
【実施例４】
【００４５】
図示しないが、ポケット等に貼り付けるラバーをシール状にしたものを製品化することもできる。ラバーをシール状にした製品を購入した者は、ポケット等の裏側の好みの位置にラバーを貼り付け、洗濯を繰り返すことにより模様が現れるのを楽しむことができる。ラバーを貼る対象は、衣類に限らず、バッグ、帽子、等、何でも構わない。
【符号の説明】
【００４６】
１  ポケット用の生地
２  ラバー
５  ジーンズパンツ
１０  携帯電話
２１  ポケット
２２  ポケット側の面
２３  衣類側の面
２４  ゴム
３０  シャツ
３１  ポケット
３２  滑り止め
【図１】
2018193637.tif 000003
【図２】
2018193637.tif 000004
【図３】
2018193637.tif 000005
【図４】
2018193637.tif 000006
【図５】
2018193637.tif 000007
【手続補正書】
【提出日】平成30年9月25日(2018.9.25)
【手続補正１】
【補正対象書類名】特許請求の範囲
【補正対象項目名】全文
【補正方法】変更
【補正の内容】
【特許請求の範囲】
【請求項１】
ポケットを構成する生地の内側の面に滑り止め部が取り付けられており、
前記滑り止め部が、前記ポケットの上下左右方向中央部付近に存し、
前記滑り止め部が、ポケットの外側の面に前記滑り止め部の形状を反転させた形状の模様を生じさせるための手段とされ、
前記模様が、ポケットを構成する生地が備える前記滑り止め部が存する部位と存しない部位との厚みの差によって生じた外界と擦れる頻度の差異によって前記生地の染料の落ちる度合いに差異が生じた結果現れるポケット。
【請求項２】
前記生地がデニム生地であることを特徴とする請求項１に記載のポケット。
【請求項３】
前記模様が現れたポケットに、前記染料が落ちるのを停止する処理を施したことを特徴とする請求項１又は請求項２に記載のポケット。
【請求項４】
前記滑り止め部が摩擦抵抗の大きいシート状の素材で成り、前記生地に接着剤によって取り付けられることを特徴とする請求項１から請求項３のいずれかに記載のポケット。
【請求項５】
ポケットを構成する生地の内側の面に取り付ける滑り止め部用のシールであって、
前記ポケットの上下左右方向中央部付近に取り付ける滑り止め部用のシールであって、
前記シールが、ポケットの外側の面に前記シールの形状を反転させた形状の模様を生じさせるための手段とされ、
前記模様が、ポケットを構成する生地が備える前記シールが存する部位と存しない部位との厚みの差によって生じた外界と擦れる頻度の差異によって前記生地の染料の落ちる度合いに差異が生じた結果現れるシール。
【請求項６】
請求項１から請求項４のいずれかに記載のポケットを備えた衣類。